(57)【要約】【課題】  トーイン角を運転中にも調節しうるようなトーイン調節機構を提供すること。【解決手段】  トーイン調節機構は、丸刃ホルダーを取り付けるためのホルダー取付部側に設けられた固定子と、丸刃ホルダーの丸刃を支持するための丸刃支持部材を、その軸中心の周りに前記固定子に対して回動しうるように組み付けるための組付け手段と、丸刃支持部材を固定子に対して所定のトーイン角が与えられるように保持する保持手段とを備え、保持手段は、固定子と丸刃支持部材との間に挟持される強力バネと、強力バネの弾性力に抗して固定子に対して丸刃支持部材を締結するトーイン調節スクリュウとを含み、トーイン調節スクリュウを操作することにより、締結力が常に一定方向に働く強力バネの弾性力の範囲内で締結力を増減することでスクリュウのバックラッシュの発生を防止しつつ、丸刃支持部材を回動させてトーイン角の微調整が行えるようにする。【選択図】          図１
2005081532.tif 000002
【特許請求の範囲】
【請求項１】
丸刃によるシヤーカットスリッターのトーイン調節機構において、丸刃ホルダーを取り付けるためのホルダー取付部側に設けられた固定子と、前記丸刃ホルダーの丸刃を支持するための丸刃支持部材を、その軸中心の周りに前記固定子に対して回動しうるように組み付けるための組付け手段と、前記丸刃支持部材を前記固定子に対して所定のトーイン角が与えられるように保持する保持手段とを備えており、前記保持手段は、前記固定子と前記丸刃支持部材との間に挟持される強力バネと、前記強力バネの弾性力に抗して前記固定子に対して前記丸刃支持部材を締結するトーイン調節スクリュウとを含み、前記トーイン調節スクリュウを操作することにより、前記締結力が常に一定方向に働く前記強力バネの弾性力の範囲内で該締結力を増減することでスクリュウのバックラッシュの発生を防止しつつ、前記丸刃支持部材を回動させてトーイン角の微調整が行えるようにしたことを特徴とするトーイン調節機構。
【請求項２】
前記丸刃支持部材は、プレートであり、前記トーイン調節スクリュウは、前記プレートに対して切断すべきシートの下流側に配設される請求項１に記載のトーイン調節機構。
【請求項３】
前記丸刃支持部材は、ロッドであり、前記トーイン調節スクリュウは、前記ロッドに対してその周辺部に配設される請求項１に記載のトーイン調節機構。
【請求項４】
前記強力バネは、皿ワッシャーである請求項１または２または３に記載のトーイン調節機構。
【請求項５】
前記強力バネは、スプリングワッシャーである請求項１または２または３に記載のトーイン調節機構。
【請求項６】
前記トーイン調節スクリュウの頭部には、プラスまたはマイナス溝が形成されている請求項１から５のうちのいずれか１項に記載のトーイン調節機構。
【発明の詳細な説明】
【技術分野】
【０００１】
本発明は、シートの幅方向のカットを行う丸刃を使用したスリッター装置におけるトーイン角の調節機構に関するものである。
【背景技術】
【０００２】
丸刃によるシヤーカットスリッター等においては、シートの切れ味を良くし切断面の品質を良好に保つために重要な要素の一つとして、下刃に対する上刃の係合角度であるトーイン角がある。従来から、このようなトーイン角を調節するための調節機構を設けたスリッター装置が種々開発され、使用されてきている。これら従来のスリッター装置において、トーイン角を調節できるようにしたものとしては、例えば、実開昭５６−２０７９１号公報や実開昭５６−２０７９２号公報に開示されたようなものがあった。これら公報に開示されたトーイン角調整機構は、上刃支持シャフトの上端部にトーイン角調整部材を設け、トーイン角を指示する目盛を見ながら、このトーイン角調整部材を操作することにより、シャフトを固定取付け部材に対して回転させることによりトーイン角を調整できるようにしている。
【０００３】
【特許文献１】実開昭５６−２０７９１号公報
【特許文献２】実開昭５６−２０７９２号公報
【発明の開示】
【発明が解決しようとする課題】
【０００４】
前述したような従来のトーイン調節機構では、運転中（シートの切断中）の調節が不可能であり、調節の度にマシンを一旦停止して行う必要があった。丸刃によるシヤーカットスリッターのトーイン角は、極めて微妙な調整を必要とし、満足な切断面を得るまで、試行錯誤適にトーイン角を調整し、その度にマシン停止を繰り返すという非常に繁雑な作業を要していた。
【０００５】
一方、本出願人も先に出願した特願２００３−１４０３０４号において提案しているようなトーイン角の数値化も、先ず、試行錯誤のうえ、最高の切断面を得ることが先決であって、そのときのトーイン角の数値を、次の作業に役立てることが目的である。
【０００６】
従って、試行錯誤段階でのトーイン角の調整は、シート切断中に切り口を看視しながらトーイン角をいろいろ変化させることのできるトーイン角調節機構が強く求められていた。しかも、このトーイン角調節機構は、できるだけシンプルな構造であることが求められていた。
【０００７】
本発明の目的は、前述したような従来技術の問題点を解消し、且つ前述したような強い要求に十分に応え得るようなトーイン調節機構を提供することである。
【課題を解決するための手段】
【０００８】
本発明によれば、丸刃によるシヤーカットスリッターのトーイン調節機構において、丸刃ホルダーを取り付けるためのホルダー取付部側に設けられた固定子と、前記丸刃ホルダーの丸刃を支持するための丸刃支持部材を、その軸中心の周りに前記固定子に対して回動しうるように組み付けるための組付け手段と、前記丸刃支持部材を前記固定子に対して所定のトーイン角が与えられるように保持する保持手段とを備えており、前記保持手段は、前記固定子と前記丸刃支持部材との間に挟持される強力バネと、前記強力バネの弾性力に抗して前記固定子に対して前記丸刃支持部材を締結するトーイン調節スクリュウとを含み、前記トーイン調節スクリュウを操作することにより、前記締結力が常に一定方向に働く前記強力バネの弾性力の範囲内で該締結力を増減することでスクリュウのバックラッシュの発生を防止しつつ、前記丸刃支持部材を回動させてトーイン角の微調整が行えるようにしたことを特徴とするトーイン調節機構が提供される。
【０００９】
本発明の一つの実施の態様によれば、前記丸刃支持部材は、プレートであり、前記トーイン調節スクリュウは、前記プレートに対して切断すべきシートの下流側に配設される。
【００１０】
本発明の別の実施の形態によれば、前記丸刃支持部材は、ロッドであり、前記トーイン調節スクリュウは、前記ロッドに対してその周辺部に配設される。
【００１１】
本発明のさらに別の実施の形態によれば、前記強力バネは、皿ワッシャーである。
【００１２】
本発明のさらに別の実施の形態によれば、前記強力バネは、スプリングワッシャーである。
【００１３】
本発明のさらに別の実施の形態によれば、前記トーイン調節スクリュウの頭部には、プラスまたはマイナス溝が形成されている。
【発明の効果】
【００１４】
シートの切断中においても極めて容易にトーイン角を調節できるので、切断されてくるシートの切断面をチェックし、所望の品質が得られるようなトーイン角に変更していくことができる。したがって、従来の如く、スリッター装置の運転および停止を繰り返して試行錯誤的に最良の切断品質が得られるトーイン角を見つけ出さねばならなかったのに比べて、はるかに作業能率を向上させることができ、しかも、最適なトーイン角を極めて容易に見つけ出すことができる。
【発明を実施するための最良の形態】
【００１５】
次に、添付図面に基づいて、本発明の実施の形態および実施例について、本発明をより詳細に説明する。
【００１６】
添付図面の図１は、本発明によるトーイン調節機構を実施したプレート方式の上刃ホルダーの全体を示す正面図であり、図２は、図１の上刃ホルダーの全体を示す側面図である。これら図１および図２によく示されるように、このプレート方式の上刃ホルダーは、スリッター装置のホルダー取付部１に取り付け固定され丸刃の上刃ナイフ２の上下移動を行わせるためのエヤーシリンダー１２を備えている。このエヤーシリンダー１２の下端には、固定子１３が固定されており、この固定子１３に上刃ナイフ２を保持するためのプレート１１がシャフト１４を中心に回転できるように取り付けられるようになっている。このプレート１１は、後で詳細に説明するように、トーイン調節スクリュウ１５と強力バネ１６とを用いることにより、スリッター装置の運転中において、シャフト１４の軸中心に対して所定の回転角度位置（所定のトーイン角）に保持されるようになっている。プレート１１には、スリッター装置における上刃と下刃との接圧等を検出するための接圧センサー１７が取り付けられている。
【００１７】
図３は、図１および２に示した上刃ホルダーにおける固定子１３に対するプレート１１の取付け機構、すなわち、トーイン調節機構の詳細を示す部分斜視図であり、図４は、図３に示すトーイン調節機構における固定子１３、プレート１１およびシャフト１４の関係を詳細に示す部分断面図である。図３の部分斜視図によく示されているように、固定子１３は、全体として断面Ｌ字状のものとされており、その天井脚部１３Ａの中央部にシャフト１４を取り付け固定するためのシャフト取付け固定穴１３Ｂが形成されている。一方、その垂直脚部１３Ｃの中央には切欠き部１３Ｄが形成されていて、その切欠き部１３Ｄの各側に、トーイン調節スクリュウ１５をねじ込むためのネジ穴１３Ｅが形成されている。
【００１８】
また、プレート１１の頂部の一方の側面（上刃ナイフ２の装着される側）の中央部には、固定子１３の垂直脚部１３Ｃに形成した切欠き部１３Ｄに嵌合する突出部１１Ａが設けられている。そして、この突出部１１Ａの中心には、シャフト１４を通すためのシャフト挿通穴１１Ｂが形成されている。さらにまた、突出部１１Ａの両側において、プレート１１の頂部の部分には、トーイン調節スクリュウ１５を通すためのスクリュウ挿通穴１１Ｃが形成されている。
【００１９】
固定子１３に対してプレート１１を組み付けるためには、先ず、図４の部分断面図によく示されているように、固定子１３の切欠き部１３Ｄにプレート１１の突出部１１Ａを嵌合させた状態において、シャフト１４を、プレート１１の突出部１１Ａに形成されたシャフト挿通穴１１Ｂに挿通させ、シャフト１４の先端が固定子１３の天井脚部１３Ａに形成されたがシャフト取付け固定穴１３Ｂに挿入されるようにして、セットスクリュウ１３Ｆを用いて固定する。このとき、突出部１１Ａの下端から突出したシャフト１４の部分には、ナット係合ネジ部１４Ａが形成されており、このナット係合ネジ部１４Ａに対して、突出部１１Ａの下面との間にスプリングワッシャー１９を挟み込むようにして、締付けナット１８がねじ込まれている。
【００２０】
次いで、固定子１３の垂直脚部１３Ｃとプレート１１との間に強力バネ１６が挟み込まれるようにして、トーイン調節スクリュウ１５をプレート１１に形成されたスクリュウ挿通穴１１Ｃに通して固定子１３の垂直脚部１３Ｃに形成されたネジ穴１３Ｅに対してねじ込む。これにより、固定子１３に対するプレート１１の組み付け作業は一応完了することになる。
【００２１】
次に、前述したような構造を有するトーイン調節機構におけるトーイン角の調節機能について詳述する。シャフト１４のナット係合ネジ部１４Ａに対する締付けナット１８のねじ込み量を調整することにより、プレート１１が固定子１３の天井脚部１３Ａの下面に対して十分な力で押し付けられて、固定子１３に対するプレート１１の組み付け状態を維持できるが、プレート１１がシャフト１４の軸中心に対して所定の回転角度位置へと自由に回動することを許し得る程度のものとすることができる。図４によく示されているように、締付けナット１８は、シャフト１４のネジ切りあげ部で規制されるので、半締め締代を示す寸法ｄ以下には締まらないようなものとされている。
【００２２】
このようにして固定子１３に対してシャフト１４を介して回動しうるように組み付けられたプレート１１は、プレート１１の突出部１１Ａの両側におけるトーイン調節スクリュウ１５のネジ穴１３Ｅに対するねじ込み量を左右同じとした場合には、プレート１１の内側面が固定子１３の垂直脚部１３Ｃの内側面と平行となる状態とされている。理解し易くするため、この状態が、トーイン角が零の状態であるとする。
【００２３】
このようなトーイン角が零の状態において、切断しているシートの上流側に位置するトーイン調節スクリュウ１５のねじ込み量はそのままとし、下流側に位置するトーイン調節スクリュウ１５のねじ込み量を若干少なくなるようにする。すると、その間に挟み込まれている強力バネ１６の弾性力により、プレート１１の下流側の部分が若干外側の方へ移動させられ、したがって、プレート１１の内側面は固定子１３の垂直脚部１３Ｃの内側面に対して若干傾斜させられることになる。したがって、この状態においては、プレート１１に保持された上刃ナイフ２は、下刃ナイフ（図示していない）に対してあるトーイン角をもって係合することになる。このようなトーイン調節スクリュウ１５のねじ込み量の調整をし易くするためには、トーイン調節スクリュウ１５の頭部には、作業者が、プラスまたはマイナス型ドライバーを用いてスクリュウを回動させることができるように、プラス溝またはマイナス溝が形成されていると良い。また、頭部の径を充分大きくして指で回転できるようにしても良い。
【００２４】
ここで、運転中（シートの切断中）のトーイン角の調節において最も重要な点は、極めて微少な調節が可能なことである。そのためには、トーイン角の変更に伴うバックラッシュが絶対にあってはならない。本発明の前述した実施例では、固定子１３とプレート１１を強力バネ１６を介してトーイン調節スクリュウ１５で締結し、トーイン調節スクリュウ１５の回転方向の如何にかかわらず強力バネ１６の弾性の範囲内においては常に一定方向に力がかかるようにしてバックラッシュフリーとしている。したがって、トーイン調節スクリュウ１５は、強力バネ１６の弾性の範囲内においては常に一方向に力の方向が向いているので弛・緩いずれの方向に対してもバックラッシュの生じることは無く、且つスクリュウの特性から極めて微少の調節が可能である。しかも、極めてシンプルな構造としている。
【００２５】
なお、前述した実施例において使用する強力バネ１６の具体例としては、皿ワッシャーやスプリングワッシャー等が使用できるが、本発明において使用する強力バネが備えていなければならない重要な特性は、次のような特性である。すなわち、スリッター装置の運転停止中および運転中において、トーイン調節スクリュウ１５を作業者が操作しない限り、すなわち、トーイン調節スクリュウ１５を緩めたり締めたりしない限り、固定子１３に対するプレート１１の傾斜角、すなわち、トーイン角が変化されないようにするに十分な保持力を与えるが、トーイン調節スクリュウ１５を作業者が操作する場合には、固定子１３に対するプレート１１の傾斜角、すなわち、トーイン角が変化させられるに十分な弾性力を与えるに十分な強度を有していることである。
【００２６】
次に、本発明の別の実施例について説明する。図５は、本発明によるトーイン調節機構を実施したロッド方式の上刃ホルダーの全体を示す正面図であり、図６は、図５の上刃ホルダーの全体を示す側面図である。これら図５および図６によく示されるように、このロッド方式の上刃ホルダーは、スリッター装置のホルダー取付部３に取り付け固定され丸刃の上刃ナイフ４の上下移動を行わせるためのエヤーシリンダー２２を備えている。このエヤーシリンダー１２の上端および下端は、シリンダーカバー２２Ａにてカバーされている。上端のシリンダーカバー２２Ａには、一体的に固定子２３が設けられている。下端部に上刃ナイフ４を保持するためのロッド２４がエヤーシリンダー２２を通して延びている。このロッド２４の一部は、スプライン軸２４Ａあるいは滑りキー構造の軸となっており、スプラインナットカバー２４Ｂと共に回転するようになっている。スプラインナットカバー２４Ａは、後で詳述するように、トーイン調節スクリュウ２５と強力バネ２６とを用いることにより、スリッター装置の運転中において、ロッド２４の軸中心に対して所定の回転角度位置（所定のトーイン角）に保持されるようになっている。ロッド２４には、スリッター装置における上刃と下刃との接圧等を検出するための接圧センサー２７が取り付けられている。
【００２７】
図７は、図５および６に示した上刃ホルダーにおける固定子２３に対するロッド２４の取付け機構、すなわち、トーイン調節機構の詳細を示す部分平面図であり、図８は、図７のトーイン調節機構の詳細を示す部分正面図である。図９は、図７および図８に示すトーイン調節機構における上部シリンダーカバー２２Ａおよびスプラインナットカバー２４Ｂの関係を詳細に示す部分断面図である。図７および８に示されるように、スプラインナットカバー２４Ｂの固定子２３に対向する位置には、トーイン調節スクリュウ２５をねじ込むためのネジ穴２４Ｃが形成されている。一方、固定子２３には、トーイン調節スクリュウ２５を通すためのスクリュウ挿通穴２３Ａが形成されている。
【００２８】
一方、図７の部分平面図および図９の部分断面図によく示されるように、スプラインナットカバー２４Ｂの下端部の周辺３箇所に、取付けボルト２１を通すための細長スロット２４Ｄが形成されており、上部シリンダーカバー２２Ａの対応する位置には、取付けボルト２１をねじ込むためのネジ穴２２Ｂが形成されている。
【００２９】
固定子２３に対してロッド２４を組み付けるためには、先ず、図９の部分断面図によく示されているように、スプラインナットカバー２４Ｂの細長スロット２４Ｄが上部シリンダーカバー２２Ａのネジ穴２２Ｂにそれぞれ一致するような配置として、各細長スロット２４Ｄを通して各ネジ穴２２Ｂに対して取付けボルト２１をねじ込んでいく。このとき、スプリングワッシャー２９が挟み込まれるようにする。
【００３０】
次いで、固定子２３と対向するスプラインナットカバー２４Ｂとの間に強力バネ２６が挟み込まれるようにして、トーイン調節スクリュウ２５を固定子２３に形成されたスクリュウ挿通穴２３Ａに通してスプラインナットカバー２２Ａに形成されたネジ穴２４Ｃに対してねじ込む。これにより、固定子２３に対するロッド２４の組み付け作業は一応完了することになる。
【００３１】
次に、前述したような構造を有するトーイン調節機構におけるトーイン角の調節機能について詳述する。取付けボルト２１のネジ穴２２Ｂに対するねじ込み量を調整することにより、スプラインナットカバー２４Ｂが上部シリンダーカバー２２Ａの上面に対して十分な力で押し付けられて、固定子２３に対するロッド２４の組み付け状態を維持できるが、ロッド２４が軸中心に対して所定の回転角度位置へと自由に回動することを許し得る程度のものとすることができる。この場合において、図９によく示されるように、上部シリンダーカバー２２Ａとスプラインナットカバー２４Ｂの取付けは、取付けボルト２１のａ寸法を、スプリングワッシャー２９が締め切りにならないようにｄ寸法を配慮して決めておくと良い。こうすることにより、スプラインナットカバー２４Ｂは、後述するようにトーイン調節スクリュウ２５の操作により回転可能な状態で上部シンリンダーカバー２２Ａに取り付けられることになる。すなわち、スプラインナットカバー２４Ｂは、上部シリンダーカバー２２Ａに対して取付けボルト２１およびスプリングワッシャー２９によって半締めの状態で取り付けられており、細長スロット２４Ｄの範囲内にて、面と面でスライド可能としている。
【００３２】
このようにして固定子２３に対して回動しうるように組み付けられたロッド２４は、トーイン調節スクリュウ２５のネジ穴２４Ｃに対するねじ込み量を所定量とした場合に、そのロッド２４の下端部に保持された上刃ナイフ４の下刃ナイフに対する係合傾斜角が零、すなわち、トーイン角が零の状態であるとする。
【００３３】
このようなトーイン角が零の状態において、トーイン調節スクリュウ２５のねじ込み量を若干少なくなるようにする。すると、その間に挟み込まれている強力バネ２６の弾性力により、スプラインナットカバー２４Ｂが上部シリンダーカバー２２Ａに対して若干スライドし、したがって、ロッド２４が若干その軸中心の周りに回動させられることになる。したがって、ロッド２４の下端部に保持された上刃ナイフ４は、下刃ナイフ（図示していない）に対してあるトーイン角をもって係合することになる。このようなトーイン調節スクリュウ２５のねじ込み量の調整をし易くするためには、トーイン調節スクリュウ２５の頭部には、作業者が、プラスまたはマイナス型ドライバーを用いてスクリュウを回動させるように、マイナス溝またはプラス溝が形成されていると良い。
【００３４】
図１から図４の実施例の説明でも述べたように、ここで、運転中（シートの切断中）のトーイン角の調節において最も重要な点は、極めて微少な調節が可能なことである。そのためには、トーイン角の変更に伴うバックラッシュが絶対にあってはならない。本発明のこの実施例では、固定子２３とスプラインナットカバー２４Ｂを強力バネ２６を介してトーイン調節スクリュウ２５で締結し、トーイン調節スクリュウ２５の回転方向の如何にかかわらず強力バネ２６の弾性の範囲内においては常に一定方向に力がかかるようにしてバックラッシュフリーとしている。したがって、トーイン調節スクリュウ２５は、強力バネ２６の弾性の範囲内においては常に一方向に力の方向が向いているので弛・緩いずれの方向に対してもバックラッシュの生じることは無く、且つスクリュウの特性から極めて微少の調節が可能である。しかも、極めてシンプルな構造としている。
【００３５】
なお、この実施例において使用する強力バネ１６の具体例としても、皿ワッシャーやスプリングワッシャー等が使用できるが、本発明において使用する強力バネが備えていなければならない重要な特性については前述したとおりである。
【産業上の利用可能性】
【００３６】
シートの切断中においても極めて容易にトーイン角を調節できるので、切断されてくるシートの切断面をチェックし、所望の品質が得られるようなトーイン角に変更していくことができる。したがって、従来の如く、スリッター装置の運転および停止を繰り返して試行錯誤的に最良の切断品質が得られるトーイン角を見つけ出さねばならなかったのに比べて、はるかに作業能率を向上させることができ、しかも、最適なトーイン角を極めて容易に見つけ出すことができる。
【図面の簡単な説明】
【００３７】
【図１】本発明によるトーイン調節機構を実施したプレート方式の上刃ホルダーの全体を示す正面図である。
【図２】図１の上刃ホルダーの全体を示す側面図である。
【図３】図１および２に示した上刃ホルダーにおける固定子に対するプレートの取付け機構の詳細を示す部分斜視図である。
【図４】図３に示すトーイン調節機構における固定子、プレートおよびシャフトの関係を詳細に示す部分断面図である。
【図５】本発明によるトーイン調節機構を実施したロッド方式の上刃ホルダーの全体を示す正面図である。
【図６】図５の上刃ホルダーの全体を示す側面図である。
【図７】図５および６に示した上刃ホルダーにおける固定子に対するロッドの取付け機構の詳細を示す部分平面図である。
【図８】図７のトーイン調節機構の詳細を示す部分正面図である。
【図９】図７および図８に示すトーイン調節機構における上部シリンダーカバーおよびスプラインナットカバーの関係を詳細に示す部分断面図である。
【符号の説明】
【００３８】
１  ホルダー取付部
２  上刃ナイフ
１１  プレート
１１Ａ  突出部
１１Ｂ  シャフト挿通穴
１１Ｃ  スクリュウ挿通穴
１２  エヤーシリンダー
１３  固定子
１３Ａ  天井脚部
１３Ｂ  シャフト取付け固定穴
１３Ｃ  垂直脚部
１３Ｄ  切欠き部
１３Ｅ  ネジ穴
１３Ｆ  セットスクリュウ
１４  シャフト
１４Ａ  ナット係合ネジ部
１５  トーイン調節スクリュウ
１６  強力バネ
１７  接圧センサー
１８  締付けナット
１９  スプリングワッシャー
【図１】
2005081532.tif 000003
【図２】
2005081532.tif 000004
【図３】
2005081532.tif 000005
【図４】
2005081532.tif 000006
【図５】
2005081532.tif 000007
【図６】
2005081532.tif 000008
【図７】
2005081532.tif 000009
【図８】
2005081532.tif 000010
【図９】
2005081532.tif 000011